(57)【特許請求の範囲】
【請求項１】
一次側には導入された泡消火薬剤と水を混合した泡消火薬剤混合液を噴射するオリフィス部と空気取り入れ口が設けられ、二次側には放射口が設けられた発泡用筒体からなり、前記オリフィス部から前記発泡用筒体内に噴射された泡消火薬剤混合液の噴射による負圧により空気取り入れ口から空気を吸い込み、内部で泡消火薬剤混合液と空気とを攪拌混合し発泡させる消火用泡の発泡装置において、
前記オリフィス部を、一次オリフィス板と二次オリフィス板で構成して、前記一次オリフィス板と前記二次オリフィス板の間に共鳴室を形成し、前記一次オリフィス板の一次側には絞り筒体を設け、前記一次オリフィス板に有する孔と前記絞り筒体の内径との絞り面積比（ＣＲ）を０．３〜０．８としたことを特徴とする消火用泡の発泡装置。
【請求項２】
前記絞り筒体の長さは、前記絞り筒体の内径と等しい長さ若しくは内径以上の長さとしたことを特徴とする請求項１に記載の消火用泡の発泡装置。
【請求項３】
前記発泡用筒体の二次側に発泡チャンバーを取り付け、前記発泡チャンバーに、前記発泡用筒体の前記放射口から前記発泡チャンバー内に放射された泡消火薬剤混合液と空気とを攪拌混合した消火用泡水溶液を衝突させる天板と、前記発泡チャンバーの筒状側壁に開口し前記発泡チャンバー内で発泡した消火用泡を放出する泡放出口を設けたことを特徴とする請求項１または２のいずれか１項に記載の消火用泡の発泡装置。
【請求項４】
前記発泡用筒体の前記放射口と前記発泡チャンバーの前記筒状側壁に開口する前記泡放出口との間に位置して、前記泡放出口へ向かう泡の流れを遮り、迂回させて前記泡放出口へ流す堰板を、前記泡放出口の手前に配置したことを特徴とする請求項３に記載の消火用泡の発泡装置。
【請求項５】
前記発泡チャンバーの前記天板と前記発泡用筒体の前記放射口との間に、前記放射口から放射された消火用泡水溶液を通過させる少なくとも一つの造泡網部材を配置したことを特徴とする請求項３または４のいずれか１項に記載の消火用泡の発泡装置。
【発明の詳細な説明】
【技術分野】
【０００１】
本発明は、泡消火薬剤と水を所定の割合で混合した泡消火薬剤混合液に、空気を混合して発泡させ消火用泡を生成し放射する消火用泡の発泡装置に関する。
【背景技術】
【０００２】
泡消火薬剤と水を所定の割合で混合した泡消火薬剤混合液に、空気を混合して発泡させ消火用泡で火炎を覆い、火炎と外気の酸素を遮断して消火するといったことが行われている。このような泡消火にあっては、生成する消火用泡に、ある程度高い発泡倍率と長い還元時間といった発泡性能が求められる。発泡倍率にあっては、火災対象をある程度の厚さと密度のある泡で覆うことにより、消火に有利になり、また、還元時間にあっては、長いほど泡が壊れ難いため、長時間火災対象を覆うことができるので、消火に有利になるからである。
【０００３】
このような泡消火にあって、泡消火薬剤と水を所定の割合で混合した泡消火薬剤混合液に、空気を混合して発泡させ消火用泡を生成し放射する消火用泡の発泡装置が使用されている。
従来、消火用泡の発泡装置として、一次側には導入された泡消火薬剤と水を混合した泡消火薬剤混合液を噴射するオリフィス部と空気取り入れ口が設けられ、二次側には放射口が設けられた発泡用筒体からなり、オリフィス部から発泡用筒体内に噴射された泡消火薬剤混合液の噴射による負圧により空気取り入れ口から空気を吸い込み、内部で泡消火薬剤混合液と空気とを攪拌混合し発泡させる消火用泡の発泡装置がある（例えば、特許文献１参照。）。
泡消火で使用される泡消火薬剤としては、蛋白消火薬剤、合成界面活性剤消火薬剤、水性膜泡消火剤等が知られており、このうち蛋白消火薬剤は耐熱性が優れているため、石油タンク等の泡消火設備の泡消火薬剤として多く使用されているが、特許文献１に記載されているような形式の消火用泡の発泡装置では、蛋白消火薬剤は他の泡消火薬剤に比べ発泡性能が低くなる傾向がある。
このため、消火用泡の発泡装置では発泡性能の向上が求められており、発泡性能を向上させる手段として、発泡用筒体を長くし、また、径を拡大することにより対応している。
【０００４】
また、発泡性能を向上させる消火用泡の発泡装置として、発泡用筒体に設けたオリフィス部を、間隔をおいて配置された２枚のオリフィス板で構成し、２枚のオリフィス板の間の空間を共鳴室として、一次オリフィス板の孔を通り共鳴室に流れた泡消火薬剤混合液の乱れを共鳴室で増幅させ、二次オリフィス板の孔から拡散した泡消火薬剤混合液を発泡用筒体に噴射させるようにして、泡消火薬剤と水との混合率を高めることにより発泡性能を向上させたものがある（例えば、特許文献２参照。）。
【先行技術文献】
【特許文献】
【０００５】
【特許文献１】特開２００６−２９６４９１号公報
【特許文献２】特開２０１４−９４０７９号公報
【発明の概要】
【発明が解決しようとする課題】
【０００６】
上記した従来の消火用泡の発泡装置では、発泡性能を向上させる手段として、発泡用筒体を長くしたり径を拡大することにより、また、発泡用筒体に設けたオリフィス部を、間隔をおいて配置された２枚のオリフィス板で構成し、２枚のオリフィス板の間の空間を共鳴室とすることにより対応している。
【０００７】
しかし、発泡用筒体を長くしたり径を拡大することは消火用泡の発泡装置の大型化が避けられないといった問題がある。
また、発泡用筒体に設けたオリフィス部を、間隔をおいて配置された２枚のオリフィス板で構成し、２枚のオリフィス板の間の空間を共鳴室としたときは、幅広い圧力域で共鳴現象が発生することが望ましく、共鳴室の体積を大きくすることで共鳴現象が発生する圧力範囲を広げることが可能であるが、共鳴室の体積を大きくすることは、消火用泡の発泡装置の大型化を伴うといった問題がある。
【０００８】
本発明者等は、特に、発泡用筒体に２枚のオリフィス板を配置し、２枚のオリフィス板の間を共鳴室としたとき、共鳴現象が発生する圧力範囲を広げるためには共鳴室の体積が大きくなることによる問題を解決すべく、空間の体積を大きくすることなく、共鳴現象が発生する圧力範囲を広げることについて試験研究を重ねた結果、一次オリフィス板に泡消火薬剤混合液を、一次オリフィス板に有する孔と一次オリフィス板の一次側管路内径との絞り面積比０．３〜０．８にて送ることにより、小さい体積の共鳴室でも幅広い圧力域で共鳴現象が発生することを見出した。
しかし、発泡用筒体の内径は流量によりその大小が設定されており、従って発泡用筒体の内径によっては、一次オリフィス板に有する所定の径の孔と一次オリフィス板の一次側管路内径との絞り面積比０．３〜０．８に収めることが困難な場合がある。そこで、一次オリフィス板に絞り筒体を取り付けることにより、発泡用筒体の内径に拘わらず絞り面積比を０．３〜０．８に収めることが可能となることを見出し、本発明を成すに至った。
【０００９】
本発明の目的は、発泡性能の向上を図り、蛋白消火薬剤でも十分な発泡が得られるとともに、小さい体積の共鳴室でも幅広い圧力域で共鳴現象を発生させることを可能にし、これにより装置の小型化を可能とした消火用泡の発泡装置を提供することにある。
【課題を解決するための手段】
【００１０】
上記の目的を達成するために、請求項１に記載の発明は、一次側には導入された泡消火薬剤と水を混合した泡消火薬剤混合液を噴射するオリフィス部と空気取り入れ口が設けられ、二次側には放射口が設けられた発泡用筒体からなり、前記オリフィス部から前記発泡用筒体内に噴射された泡消火薬剤混合液の噴射による負圧により空気取り入れ口から空気を吸い込み、内部で泡消火薬剤混合液と空気とを攪拌混合し発泡させる消火用泡の発泡装置において、前記オリフィス部を、一次オリフィス板と二次オリフィス板で構成して、前記一次オリフィス板と前記二次オリフィス板の間に共鳴室を形成し、前記一次オリフィス板の一次側には絞り筒体を設け、前記一次オリフィス板に有する孔と前記絞り筒体の内径との絞り面積比（ＣＲ）を０．３〜０．８としたことを特徴とする。
【００１１】
請求項１に記載の発明によれば、前記オリフィス部を、前記一次オリフィス板と前記二次オリフィス板で構成して、前記一次オリフィス板と前記二次オリフィス板の間に前記共鳴室を形成し、前記一次オリフィス板の一次側には前記絞り筒体を設け、前記一次オリフィス板に有する孔と前記絞り筒体の内径との絞り面積比（ＣＲ）を０．３〜０．８としたので、一次側から前記発泡用筒体に導入された泡消火薬剤混合液は、前記一次オリフィス板に有する孔と前記絞り筒体の内径との絞り面積比０．３〜０．８の関係にある前記一次オリフィス板に有する孔から前記共鳴室に流入し、前記共鳴室に流入した泡消火薬剤混合液の噴流は、前記一次オリフィス板に近い位置で縮流を発生することになり、前記共鳴室内で縮流から拡流へ転じる距離が短くなり、また、前記一次オリフィス板に近い位置での泡消火薬剤混合液の噴流の縮流は、幅広い圧力域で発生させることができるので、これにより前記共鳴室の小型化が可能となる。
前記共鳴室に流入した泡消火薬剤混合液の噴流は前記共鳴室で縮流から拡流に転じ、前記二次オリフィス板の孔から前記発泡用筒体へ噴射されるが、前記共鳴室に放出された泡消火薬剤混合液の噴流は、前記共鳴室内における共鳴現象と、縮流から拡流への転換に伴う噴流の拡散作用により攪乱成分が大幅に増幅され、大きな渦流となって拡散して、前記二次オリフィス板の孔から前記発泡用筒体へ噴射されることになり、前記二次オリフィス板の孔から噴射される泡消火薬剤混合液は、前記発泡用筒体に霧状態で拡散し渦流となって噴射されるので、前記空気取り入れ口から吸い込んだ空気と極めて効果的に混合されることになり、発泡倍率が高まり発泡性能の向上が図れる。
また、前記共鳴室に流入した泡消火薬剤混合液の噴流は、前記共鳴室内における共鳴現象と、縮流から拡流への転換に伴う噴流の拡散作用により攪乱成分が大幅に増幅され、大きな渦流となって拡散するので、小さい体積の共鳴室でも幅広い圧力域で共鳴現象を発生させることができ、装置の小型化が可能となる。
また、前記一次オリフィス板の一次側に絞り筒体を設け、前記一次オリフィス板に有する孔と前記絞り筒体の内径との絞り面積比（ＣＲ）を０．３〜０．８としたので、前記発泡用筒体の内径に拘わらず前記一次オリフィス板に有する所定の径の孔と前記一次オリフィス板の一次側管路内径との絞り面積比を容易に且つ確実に０．３〜０．８に収めることができる。
【００１２】
請求項２に記載の発明は、請求項１に記載の、前記絞り筒体の長さは、前記絞り筒体の内径と等しい長さ若しくは内径以上の長さとしたことを特徴とする。
【００１３】
請求項２に記載の発明によれば、前記絞り筒体の長さは、前記絞り筒体の内径と等しい長さ若しくは内径以上の長さとしたので、前記共鳴室に流入した泡消火薬剤混合液の噴流に、前記一次オリフィス板に近い位置で確実に縮流を発生させることができ、縮流から拡流への転換に伴う攪乱成分を大幅に増幅し、大きな渦流となって確実に前記二次オリフィス板の孔から発泡用筒体へ霧状態で噴射される。
【００１４】
請求項３に記載の発明は、請求項１または２のいずれか１項に記載の、前記発泡用筒体の二次側に発泡チャンバーを取り付け、前記発泡チャンバーに、前記発泡用筒体の前記放射口から前記発泡チャンバー内に放射された泡消火薬剤混合液と空気とを攪拌混合した消火用泡水溶液を衝突させる天板と、前記発泡チャンバーの筒状側壁に開口し前記発泡チャンバー内で発泡した消火用泡を放出する泡放出口を設けたことを特徴とする。
【００１５】
請求項３に記載の発明によれば、前記発泡用筒体の二次側に発泡チャンバーを取り付け、前記発泡チャンバーに、前記発泡用筒体の前記放射口から前記発泡チャンバー内に放射された泡消火薬剤混合液と空気とを攪拌混合した消火用泡水溶液を衝突させる天板と、前記発泡チャンバーの筒状側壁に開口し前記発泡チャンバー内で発泡した消火用泡を放出する泡放出口を設けたので、前記発泡用筒体の前記放射口から前記発泡チャンバー内に放射された消火用泡水溶液が前記天板に衝突することにより、更に消火用泡水溶液の発泡が促進され高い倍率で発泡し、還元時間の長い良質の消火用泡を生成し、前記泡放出口から放出することができる。
【００１６】
請求項４に記載の発明は、請求項３に記載の、前記発泡用筒体の前記放射口と前記発泡チャンバーの前記筒状側壁に開口する前記泡放出口との間に位置して、前記泡放出口へ向かう泡の流れを遮り、迂回させて前記泡放出口へ流す堰板を、前記泡放出口の手前に配置したことを特徴とする。
【００１７】
請求項４に記載の発明によれば、前記発泡用筒体の前記放射口と前記発泡チャンバーの前記筒状側壁に開口する前記泡放出口との間に位置して、前記泡放出口へ向かう泡の流れを遮り、迂回させて前記泡放出口へ流す堰板を前記泡放出口の手前に配置したので、前記発泡用筒体の前記放射口から放射された消火用泡水溶液が前記発泡チャンバーの天板に衝突するだけでなく、前記堰板にも衝突することにより発泡が促進され、発泡し前記泡放出口へ向かう泡が、前記堰板により流れが遮られ、前記堰板を迂回して前記泡放出口へ流れるので、その分、前記発泡チャンバー内における泡の移動距離や滞留時間が長くなり、前記発泡チャンバー内で泡と空気が渦を巻き、揉まれる移動距離や時間も長くなることから、消火用泡水溶液と空気とがよく混ざり合って高い倍率で発泡し、そして、発泡した泡の径が小さく還元時間の長い泡性能に優れた消火用泡を生成することができる。
【００１８】
請求項５に記載の発明は、請求項３または４のいずれか１項に記載の、前記発泡チャンバーの前記天板と前記発泡用筒体の前記放射口との間に、前記放射口から放射された消火用泡水溶液を通過させる少なくとも一つの造泡網部材を配置したことを特徴とする。
【００１９】
請求項５に記載の発明によれば、前記発泡チャンバーの前記天板と前記発泡用筒体の前記放射口との間に、前記放射口から放射された消火用泡水溶液を通過させる少なくとも一つの造泡網部材を配置したので、前記発泡用筒体の前記放射口から放射された消火用泡水溶液は、前記造泡網部材に衝突し通過することにより効果的に砕かれ、小さい泡状水滴となって前記発泡チャンバーの前記天板に衝突することにより、消火用泡水溶液と空気とがよく混ざり合って高い倍率で発泡し、そして、発泡した泡の径が小さく還元時間の長い泡性能に優れた消火用泡を生成することができる。
また、前記発泡チャンバー内に前記堰板を配置しておくことにより、前記発泡チャンバーの天板に衝突した消火用泡水溶液が前記堰板にも衝突することにより発泡が促進され、発泡し前記泡放出口へ向かう泡が、前記堰板により流れが遮られ、前記堰板を迂回して前記泡放出口へ流れるので、消火用泡水溶液と空気とが一層よく混ざり合って一層高い倍率で発泡し、そして、発泡した泡の径が小さく還元時間の長い泡性能に一層優れた消火用泡を生成することができる。
【発明の効果】
【００２０】
本発明に係る消火用泡の発泡装置によれば、発泡性能の向上が図れ、蛋白消火薬剤でも十分な発泡を得ることができるとともに、小さい体積の共鳴室でも幅広い圧力域で共鳴現象を発生させることが可能になり、これにより装置の小型化を可能にすることができ、さらには、構成が簡単なので製造が容易である。
【図面の簡単な説明】
【００２１】
【図１】本発明に係る消火用泡の発泡装置の実施の形態の第１例を示す概略縦断面図である。
【図２】図１に示す消火用泡の発泡装置の要部拡大図である。
【図３】第１例の発泡用筒体における泡消火薬剤混合液の放射状態を示す説明図である。
【図４】本発明に係る消火用泡の発泡装置の実施の形態の第２例を示す概略縦断面図である。
【図５】本発明に係る消火用泡の発泡装置の実施の形態の第３例を示す概略縦断面図である。
【図６】図５に示す第３例の要部拡大図である。
【図７】第３例の造泡網部材の他例を示す一部概略縦断面図である。
【図８】第３例の造泡網部材の他例を示す一部概略縦断面図である。
【図９】本発明に係る消火用泡の発泡装置の実施の形態の第４例を示す概略縦断面図である。
【発明を実施するための形態】
【００２２】
以下、本発明に係る消火用泡の発泡装置の実施の形態を参照して詳細に説明する。
図１乃至図３は本発明に係る消火用泡の発泡装置の実施の形態の第１例を示すものであり、図１は第１例の概略縦断面図、図２は図１に示す第１例の要部拡大図、図３は第１例の発泡用筒体における泡消火薬剤混合液の放射状態を示す説明図である。
【００２３】
本例の消火用泡の発泡装置は、竪型発泡器と呼ばれている発泡装置であり、一次側には導入された泡消火薬剤と水を混合した泡消火薬剤混合液を噴射するオリフィス部１と空気取り入れ口２が設けられ、二次側には放射口３が設けられた発泡用筒体４からなっている。
本例では、発泡用筒体４の二次側に、放射口３と連通する発泡チャンバー５が取り付けられており、オリフィス部１から発泡用筒体４内に噴射された泡消火薬剤混合液の噴射による負圧により空気取り入れ口２から空気を吸い込み、内部で泡消火薬剤混合液と空気とを攪拌混合し発泡させ、放射口３から発泡チャンバー５内へ放射するようになっている。
【００２４】
オリフィス部１にあっては、発泡用筒体４に空気取り入れ口２より一次側に設けられており、発泡用筒体４の内部に間隔をおいて配置された一次オリフィス板６と二次オリフィス板７で構成されている。そして、一次オリフィス板６と二次オリフィス板７の間の空間には共鳴室８が形成されている。一次オリフィス板６と二次オリフィス板７は、孔９，１０を有している。
【００２５】
一次オリフィス板６の一次側には、一次オリフィス板６に有する孔９の内径Ｒ１より大径の内径Ｒ２を有する絞り筒体１１が、発泡用筒体４の軸方向に突出して設けられている。絞り筒体１１の長さＬは、絞り筒体１１の内径Ｒ２と同じ長さ、若しくは内径Ｒ２以上の長さが好ましい。
絞り筒体１１の長さＬが絞り筒体１１の内径Ｒ２と等しい長さ若しくは内径Ｒ２以上の長さであると、共鳴室８に流入した泡消火薬剤混合液の噴流に、一次オリフィス板６に近い位置で確実に縮流を発生させることができる。絞り筒体１１の長さＬが絞り筒体１１の内径Ｒ２より短いと、共鳴室８に流入した泡消火薬剤混合液の噴流に発生する縮流が一次オリフィス板６から遠くなる。
本例では、絞り筒体１１の長さＬを絞り筒体１１の内径Ｒ２と同じ長さに設定している。
【００２６】
また、一次オリフィス板６に有する孔９の内径Ｒ１と絞り筒体１１の内径Ｒ２との絞り面積比（ＣＲ）は、０．３〜０．８の範囲で設定している。
この絞り面積比は、絞り面積比と共鳴室８の噴射口となる二次オリフィス板７に有する孔１０の使用圧力（ＭＰａ）との関係による、共鳴室８から噴射された泡消火薬剤混合液の噴流の拡散試験により求めた。
【００２７】
試験結果は以下の表の通りである。
【表１】
0006529889.tif 000002
試験結果は、○×で表している。
○は拡散が大きい。
×は拡散が小さい。
この試験結果から、絞り面積比（ＣＲ）が０．３〜０．８のとき、幅広い圧力域で共鳴現象を発生させ、共鳴室８から噴射された泡消火薬剤混合液の噴流を大きく拡散させることが確認された。
【００２８】
一次オリフィス板６と二次オリフィス板７で構成されるオリフィス部１は、本例では、図２で示すように、有底筒体１２の底部１３を二次オリフィス板７とし、有底筒体１２の開口部に絞り筒体１１を設けた一次オリフィス板６を固定し一体としてオリフィス部１とし、筒内を共鳴室８としている。このように構成したオリフィス部１を発泡用筒体４の一次側に挿入し固定している。発泡用筒体４とオリフィス部１を構成する有底筒体１２と発泡用筒体４との間にはシールリング１４を介装している。
【００２９】
発泡用筒体４の二次側に取り付けられている発泡チャンバー５にあっては、発泡用筒体４の放射口３から放射された消火用泡水溶液を衝突させ発泡させる天板１５と筒状側壁１６と底板１７で構成されており、筒状側壁１６には、発泡チャンバー５内で発泡した消火用泡を放出する泡放出口１８が開口している。天板１５は、図示しないが開閉可能な蓋としての機能を備えている。
【００３０】
このように構成された本例の消火用泡の発泡装置によれば、図３に示すように、一次側から発泡用筒体４に導入された泡消火薬剤混合液Ｗは、一次オリフィス板６に有する孔９と絞り筒体１１の内径との絞り面積比（ＣＲ）を０．３〜０．８とした一次オリフィス板６に有する孔９へ流れ、一次オリフィス板６に有する孔９と絞り筒体１１の内径との絞り面積比０．３〜０．８にて一次オリフィス板６に有する孔９から共鳴室８に流入し、共鳴室８に流入した泡消火薬剤混合液Ｗの噴流は、一次オリフィス板６に近い位置で縮流を発生する。
【００３１】
本例では、絞り筒体１１の長さＬを絞り筒体１１の内径Ｒ２と同じ長さに設定しており、共鳴室８に流入した泡消火薬剤混合液Ｗの噴流に、一次オリフィス６板に近い位置で確実に縮流を発生させる。
【００３２】
共鳴室８に噴出された泡消火薬剤混合液Ｗの噴流は共鳴室８で縮流から拡流に転じ、二次オリフィス板７の孔１０から発泡用筒体４へ噴射されるが、共鳴室８に放出された泡消火薬剤混合液Ｗの噴流は、共鳴室８内における共鳴現象と、縮流から拡流への転換に伴うに噴流の拡散作用により攪乱成分が大幅に増幅され、大きな渦流となって拡散して、二次オリフィス板７の孔１０から発泡用筒体４へ噴射される。
【００３３】
本例では、一次オリフィス板６に有する孔９の内径Ｒ１と絞り筒体１１の内径Ｒ２との絞り面積比（ＣＲ）を０．３〜０．８の範囲で設定しているので、幅広い圧力域で共鳴現象を発生させることができ、共鳴室８に噴出された泡消火薬剤混合液Ｗの噴流の攪乱成分を、共鳴現象により大幅に増幅し、泡消火薬剤混合液Ｗの噴流を大きな渦流として確実に拡散させることができる。
【００３４】
二次オリフィス板７の孔１０から噴射される泡消火薬剤混合液Ｗは、発泡用筒体４に霧状態で拡散し渦流となって噴射され、空気取り入れ口２から吸い込んだ空気と極めて効果的に混合されることになり、発泡倍率が高まり発泡性能の向上が図れる。
また、共鳴室８に放出された泡消火薬剤混合液Ｗの噴流は、共鳴室８内における共鳴現象と、縮流から拡流への転換に伴うに噴流の拡散作用により攪乱成分が大幅に増幅され、大きな渦流となって拡散するので、小さい体積の共鳴室８でも幅広い圧力域で共鳴現象を発生させることができる。
本例では、一次オリフィス板６の一次側に絞り筒体１１を設け、一次オリフィス板６に有する孔９の内径Ｒ１と絞り筒体１１の内径Ｒ２との絞り面積比（ＣＲ）を０．３〜０．８としたので、発泡用筒体４の内径に拘わらず一次オリフィス板６に有する所定の径の孔９と一次オリフィス板６の一次側管路内径との絞り面積比を容易に且つ確実に０．３〜０．８に収めることができる。
【００３５】
また、本例では、オリフィス部１は、有底筒体１２の底部１３を二次オリフィス板７とし、有底筒体１２の開口部に絞り筒体１１を設けた一次オリフィス板６を固定し一体としたので、オリフィス部１を発泡用筒体４の一次側に挿入し固定するといった簡単な作業により発泡用筒体４に設けることができる。
【００３６】
また、本例では、オリフィス部１は、空気取り入れ口２より一次側に設けられているので、オリフィス部１から噴射される泡消火薬剤混合液Ｗと空気取り入れ口２から吸い込んだ空気が極めて効果的に混合されることになり、発泡倍率がより高まり発泡性能の一層の向上が図れる。
【００３７】
さらに、本例では、発泡用筒体４の二次側に、放射口３と連通する発泡チャンバー５が取り付けられており、発泡チャンバー５は、発泡用筒体４の放射口３から放射された消火用泡水溶液を衝突させ発泡させる天板１５と筒状側壁１６と底板１７で構成されており、筒状側壁１６には、発泡チャンバー５内で発泡した消火用泡を放出する泡放出口１８が開口しているので、発泡用筒体４の放射口３から発泡チャンバー５内に放射された消火用泡水溶液が天板１５に衝突することにより、更に消火用泡水溶液の発泡が促進され高い倍率で発泡し、還元時間の長い良質の消火用泡を生成し、前記泡放出口から放出することができる。
【００３８】
図４は本発明に係る消火用泡の発泡装置の実施の形態の第２例を示す概略縦断面図である。
本例では、発泡用筒体４の放射口３と発泡チャンバー５の筒状側壁１６に開口する泡放出口１８との間に位置して、泡放出口１８へ向かう泡の流れを遮り、迂回させて泡放出口１８へ流す堰板１９が配置されている。
本例では、堰板１９はＬ型金具２０を介して発泡用筒体４の放射口３に形成されているフランジ２１に取り付けられて、発泡用筒体４の放射口３と発泡チャンバー５の筒状側壁１６に開口する泡放出口１８との間に位置するように配置されている。
【００３９】
このようにして配置された堰板１９の周囲と発泡チャンバー５の内面との間には、発泡チャンバー５内で発泡した泡を通す隙間Ｓが空けられている。この隙間Ｓは、泡放出口１８から放出される消火用泡の必要流量の確保に障害とならない範囲の間隔に設定されている。
本例では、堰板１９の両側辺と発泡チャンバー５の筒状側壁１６との間に、幅広の隙間Ｓを空け、堰板１９の上辺と発泡チャンバー５の天板１５との間、及び堰板１９の底辺と発泡チャンバー５の底板１７との間に、幅狭の隙間Ｓを空けているが、堰板１９の上辺と発泡チャンバー５の天板１５との間には、必ずしも隙間を空けなくてもよい。
また、堰板１９は、本例では発泡チャンバー５の筒状側壁１６に沿った湾曲した四辺形の板となっているが、平板であってもよい。
【００４０】
このように構成された本例の消火用泡の発泡装置によれば、発泡用筒体４の放射口３から放射された消火用泡水溶液は、発泡チャンバー５の天板１５に衝突するだけでなく、堰板１９にも衝突することにより発泡が促進され、発泡し泡放出口１８へ向かう泡が、堰板１９により流れが遮られ、堰板１９を迂回して堰板１９の周囲に開いている隙間Ｓを通って泡放出口１８へ流れる。これにより、発泡チャンバー５内における泡の移動距離や滞留時間が長くなり、発泡チャンバー５内で泡と空気が渦を巻き、揉まれる移動距離や時間も長くなることから、消火用泡水溶液と空気とがよく混ざり合って発泡倍率が高く、そして、発泡した泡の径が小さく還元時間の長い消火用泡が生成される。
【００４１】
図５、図６は本発明に係る消火用泡の発泡装置の実施の形態の第３例を示すものであり、図５は第３例の概略縦断面図、図６は図５に示す第３例の要部拡大図である。
本例では、発泡チャンバー５の天板１５と発泡用筒体４の放射口３との間には、放射口３から放射された消火用泡水溶液を通過させる造泡網部材２２が配置されている。
本例では、造泡網部材２２は、発泡チャンバー５の天板１５と発泡用筒体４の放射口３との間の空間に配置されている。本例の造泡網部材２２は、ドーム状に形成された網板で構成され、その開口部側を天板１５に当てるように取付板２３を介して天板１５に取り付けられている。また、造泡網部材２２と天板１５との間には、消火用泡水溶液の衝突による造泡網部材２２の変形を防止するために、造泡網部材２２を中心位置で内側から支える支柱２４が設けられている。
造泡網部材２２にあっては、造泡網部材２２に衝突する消火用泡水溶液を砕き小さい泡状水滴として通過させるために必要な線径と網目を有している。
【００４２】
このように構成された本例の消火用泡の発泡装置によれば、発泡用筒体４の放射口３から放射された消火用泡水溶液は、造泡網部材２２に衝突し通過することにより効果的に砕かれ、小さい泡状水滴となって発泡チャンバー５の天板１５に衝突する。
【００４３】
本例では、造泡網部材２２は、発泡チャンバー５の天板１５と発泡用筒体４の放射口３との間の空間に配置したので、発泡用筒体４の放射口３から放射された消火用泡水溶液は、発泡チャンバー５内で拡散する過程で造泡網部材２２に衝突し通過することになり、発泡チャンバー５内で更に空気と混合された状態で造泡網部材２２を通過することにより、消火用泡水溶液と空気とがよく混ざり合って高い倍率で発泡し、そして、発泡した泡の径が小さく還元時間の長い消火用泡が生成される。
【００４４】
特に、本例では造泡網部材２２は、ドーム状に形成された網板からなり、その開口部側を天板１５に当てるように天板１５に取り付けられているので、発泡用筒体４の放射口３から放射され、造泡網部材２２を通過してドーム内に入った泡状水滴は、発泡チャンバー５の天板１５に衝突し、再び造泡網部材２２を通過してドームの外に出るので、造泡網部材２２を２度通過することになり、消火用泡水溶液と空気とが一層よく混ざり合って高い倍率で発泡し、そして、発泡した泡の径が一層小さくなり還元時間の長い消火用泡が生成される。
本例では、造泡網部材２２は、ドーム状に形成された網板からなり、その開口部側を天板１５に当てるように天板１５に取り付けられているが、図７に示すように、造泡網部材２２は平網板で構成され、天板１５及び放射口３のそれぞれと所定の間隔を空けるようにして、支柱２５を介して天板１５に取り付けられてもよく、また、図８に示すように、造泡網部材２２は平網板で構成され、発泡用筒体４の放射口３に、放射口３の開口部を覆うように取付板２６で取り付けられていてもよい。
【００４５】
図９は本発明に係る消火用泡の発泡装置の実施の形態の第４例を示す概略縦断面図である。
本例では、発泡用筒体４の放射口３と発泡チャンバー５の筒状側壁１６に開口する泡放出口１８との間に位置して、第２例に示す、泡放出口１８へ向かう泡の流れを遮り、迂回させて泡放出口１８へ流す堰板１９が配置され、さらに、発泡チャンバー５の天板１５と発泡用筒体４の放射口３との間には、第３例に示す、放射口３から放射された消火用泡水溶液を通過させる造泡網部材２２が配置された構成となっている。
【００４６】
このように構成された本例の消火用泡の発泡装置によれば、発泡用筒体４の放射口３から発泡チャンバー５内に放射された消火用泡水溶液は、先ず、造泡網部材２２に衝突し通過することにより効果的に砕かれ、小さい泡状水滴となって発泡チャンバー５の天板１５に衝突することにより、消火用泡水溶液と空気とがよく混ざり合って高い倍率で発泡し、続いて、発泡チャンバー５内で発泡した泡が堰板１９にも衝突することにより発泡が促進され、発泡し泡放出口１８へ向かう泡が、堰板１９により流れが遮られ、堰板１９を迂回して堰板１９の周囲に開いている隙間Ｓを通って泡放出口１８へ流れることにより、消火用泡水溶液と空気とが一層よく混ざり合って一層高い倍率で発泡し、そして、発泡した泡の径が小さく還元時間の長い泡性能に一層優れた消火用泡が生成される。
なお、図９に示す第４例では図５に示す造泡網部材２２が配置されているが、図７や図８に示す造泡網部材２２が配置された構成となっていてもよい。
【００４７】
なお、本例では、消火用泡の発泡装置の実施例として、竪型発泡器と呼ばれている発泡装置を説明したが、これに限られるものではない。
【符号の説明】
【００４８】
１  オリフィス部
２  空気取り入れ口
３  放射口
４  発泡用筒体
５  発泡チャンバー
６  一次オリフィス板
７  二次オリフィス板
８  共鳴室
９、１０  孔
１１  絞り筒体
１２  有底筒体
１３  底部
１４  シールリング
１５  天板
１６  筒状側壁
１７  底板
１８  泡放出口
１９  堰板
２０  Ｌ型金具
２１  フランジ
２２  造泡網部材
２３  取付板
２４，２５  支柱
２６  取付板
【図１】
0006529889.tif 000003
【図２】
0006529889.tif 000004
【図３】
0006529889.tif 000005
【図４】
0006529889.tif 000006
【図５】
0006529889.tif 000007
【図６】
0006529889.tif 000008
【図７】
0006529889.tif 000009
【図８】
0006529889.tif 000010
【図９】
0006529889.tif 000011